(57)【要約】【課題】外気導入部以外からの空気漏れを抑制し、省エネ性が高くかつコンパクトであり、コスト性にも優れた外気導入機構を有する洗濯乾燥機を提供すること。【解決手段】フィルター部１１には、シャッター１４にパッキン１３を取り付けた外気導入弁７と、外気導入弁駆動用モータ１８とを備える外気導入ユニット１０が装着され、フィルター部１１に連通した構造体とシャッター１４とがシールすることにより、外気導入機構のシール性が高くかつ、部品点数を削減してコストを抑えることができる。【選択図】図６
2011067308.tif 000002
【特許請求の範囲】
【請求項１】
回転ドラムを回転軸方向が水平または後部に向け水平方向から下向き傾斜となるようにして水槽内に設置し、送風ファンにより循環送風経路を通じ前記水槽内の空気を吸引してホコリをとらえるフィルター部を有し、このフィルター部には、シャッターにパッキンを取り付けた外気導入弁と、外気導入弁駆動用モータとを備える外気導入ユニットが装着され、前記フィルター部に連通した構造体と前記シャッターとがシールするように構成した外気導入機構を有する洗濯乾燥機。
【請求項２】
パッキンの可触防止用格子をフィルター部の連通口に設けた請求項１記載の洗濯乾燥機。
【発明の詳細な説明】
【技術分野】
【０００１】
本発明は、ドラム式洗濯乾燥機、詳しくは、回転ドラムを回転軸方向が水平または後部に向け水平方向から下向き傾斜となるようにして水槽内に設置し、洗濯、すすぎ、脱水の各工程に加え、送風ファンにより水槽内の空気を吸引して蒸発器及び凝縮器に通し除湿及び加熱した後水槽内に送風することを繰り返して洗濯物を乾燥させる乾燥工程時に乾燥効率を向上させるため、外気導入を行うが、その外気導入の機構構造を有する洗濯乾燥機に関するものである。
【背景技術】
【０００２】
このような洗濯乾燥機は、前記乾燥工程のために冷凍サイクルユニットを搭載するものとして既に知られている（例えば特許文献１参照）。
概念図１、斜視図２、断面図３にて説明する。冷凍サイクルユニット１は、洗濯機本体２内に内蔵され、送風ファン３を持った循環送風経路の途中に接続される。これにより、循環送風経路は送風ファン３の駆動により、水槽４内の空気を吸引して排気し、冷凍サイクルユニット１にその吸引導入口から導入して蒸発器５による除湿、凝縮器６による加熱に供して乾燥した高温空気とした後、吸引排出口から排出して水槽４側に送風して水槽４内に戻し、回転ドラム１７内の洗濯物を乾燥させることを繰り返し、洗濯工程やすすぎ工程後の乾燥工程を実行する。
【０００３】
なお乾燥工程の際、凝縮器６からの過熱量が大きくなった場合、外気導入弁７を開き、外気導入口８から新鮮な風を吸い込み、排気口９から風を吹き出す。このことにより、送風経路内の熱量を放出することで乾燥効率を上げることができる。
【０００４】
この外気導入弁７は、特許文献２に記載されているものを使われるのが一般的であり、これを送風ユニット内に組み込むことで外気導入を可能としている。
【先行技術文献】
【特許文献】
【０００５】
【特許文献１】特開２００８−７９８５９号公報
【特許文献２】特開平０９−２６４６５２号公報
【発明の概要】
【発明が解決しようとする課題】
【０００６】
しかしながら、従来の外気導入の構造では、外気導入ユニット１０と送風路が別体で形成されるため、外気導入ユニット１０と送風路に隙間２１が生じ、外気導入を行いたくない状態のときでも風を吸い込んでしまう現象が発生する。特に、外気導入を行ってはいけないのが乾燥前半であり、ドラム内の洗濯物の温度を上げる必要があるが、外気導入により温度上昇を妨げられると乾燥効率が低下する。
【０００７】
また、外気導入ユニット１０が別体であることから、コンパクト性、コスト性でも課題を有する。
【０００８】
本発明の目的は、外気導入部以外からの空気漏れを抑制し、省エネ性が高くかつコンパクトであり、コスト性にも優れた外気導入機構を有する洗濯乾燥機を提供することである。
【課題を解決するための手段】
【０００９】
上記目的を達成するための本発明の洗濯乾燥機は、回転ドラムを回転軸方向が水平または後部に向け水平方向から下向き傾斜となるようにして水槽内に設置し、送風ファンにより循環送風経路を通じ前記水槽内の空気を吸引してホコリをとらえるフィルター部を有し、このフィルター部には、シャッターにパッキンを取り付けた外気導入弁と、外気導入弁駆動用モータとを備える外気導入ユニットが装着され、前記フィルター部に連通した構造体と前記シャッターとがシールするように構成した外気導入機構を有することを特徴としている。
【００１０】
これにより、シール性が高くかつ部品点数やコストを削減することができる。
【発明の効果】
【００１１】
本発明の洗濯乾燥機によれば、外気導入機構のシール性が高くかつ、部品点数を削減してコストを抑えることができる。
【００１２】
また、可触防止用の格子により、パッキンを人間の手で触ることができないようにして不具合を防止でき、簡易な構造となるため部品点数を大幅に削減でき、コストダウンが可能となる。
【図面の簡単な説明】
【００１３】
【図１】本実施の形態におけるドラム式洗濯乾燥機における乾燥経路概念図
【図２】同ドラム式洗濯乾燥機における後部斜視図
【図３】同ドラム式洗濯乾燥機における断面図
【図４】同ドラム式洗濯乾燥機の外気導入構造を示す外観図
【図５】同ドラム式洗濯乾燥機の外気導入構造を示す要部斜視図
【図６】同ドラム式洗濯乾燥機の外気導入構造を示すＡ−Ａ要部断面図
【図７】同ドラム式洗濯乾燥機の外気導入構造の格子１５付近を示す要部正面図
【図８】同ドラム式洗濯乾燥機の外気導入構造を示すＢ−Ｂ要部断面図
【図９】本実施の形態における冷凍サイクル運転制御の変化を示すグラフ
【図１０】従来の外気導入機構を示す正面図
【図１１】従来の外気導入機構を示す断面図
【図１２】従来のドラム式洗濯乾燥機の外気導入構造の外観図
【図１３】従来のドラム式洗濯乾燥機の外気導入構造部分断面図
【発明を実施するための形態】
【００１４】
第１の発明は、回転ドラムを回転軸方向が水平または後部に向け水平方向から下向き傾斜となるようにして水槽内に設置し、送風ファンにより循環送風経路を通じ前記水槽内の空気を吸引してホコリをとらえるフィルター部を有し、このフィルター部には、シャッターにパッキンを取り付けた外気導入弁と、外気導入弁駆動用モータとを備える外気導入ユニットが装着され、前記フィルター部に連通した構造体と前記シャッターとがシールするように構成した外気導入機構を有することにより、外気導入機構のシール性が高くかつ、部品点数を削減してコストを抑えることができる。
【００１５】
第２の発明は、第１の発明において、パッキンの可触防止用格子をフィルター部の連通口に設けたことにより、可触による外気導入機構の不具合や破損を防止できる。
【００１６】
本発明の実施の形態に係る外気導入構造につき、図を参照しながら以下に説明し本発明の理解に供する。以下の説明は本発明の具体例であって、特許請求の範囲の内容を限定するものではない。
【００１７】
（実施の形態１）
本発明の実施の形態に係るドラム式洗濯乾燥機２は、図１に概念図、図２に外観図を示す。回転ドラム１７を回転軸方向が水平または後部に向け水平方向から下向き傾斜となるようにして水槽４内に設置し、洗濯、すすぎ、脱水の各工程に加え、送風ファン３により循環送風経路を通じ、水槽４内の空気を吸引してホコリをとらえるフィルター部１１を通過し、蒸発器５及び凝縮器６に通し除湿及び加熱した後水槽４内に送風することを繰り返して洗濯物を乾燥させる乾燥工程を行う。この乾燥工程のために蒸発器５、凝縮器６及びそれらに冷媒を循環させるコンプレッサ１６を収容した冷凍サイクルユニット１と送風ファン３とを接続した。
【００１８】
上記フィルター部１１には外気導入ユニット１０が装着されており、外気導入口８と排気口９が設置され、この外気導入は外気導入弁７により外気導入がコントロールされる構成となっている。
【００１９】
また、この外気導入弁７は外気導入弁駆動用モータ１８により駆動され、シャッター１４にパッキン１３を取り付けた構造になっており、フィルター部１１に連通した構造体と直接シールするような構造となっている。
【００２０】
また、フィルター部１１との連通口１９にはシャッター１４に可触できないように格子１５をもうけており、可触による外気導入機構の破損を防いでいる。
【００２１】
また、誤った操作により、フィルター部と１１の連通口１９から洗剤および水が浸入した際にも、シャッター１４が閉まっているか、シャッター１４が万一開いていたとしても、構造体側に溝２０を設けることで、導水路として機能させ、モータ部へ直接入らない構成となっている。
【００２２】
外気導入用モータ１８は半殻状の構造体２２に固定されており、その半殻状の構造体２２には外から浸入してくる水に対してリブ２３を立てており、外気導入経路と合わせてラビリンスになるような構造をとっており、外部からの水の浸入を防ぐ。
【００２３】
図９にコンプレッサ１６の回転数およびコンプレッサ１６の吐出温度比較を行った。従来のものはコンプレッサ１６の回転数を前半上げることができない。それは、従来の外気導入ユニット１０とケーシングとの隙間２１が生じているため、外気を吸ってしまい、効率が悪くなってしまうためである。そのため、乾燥中盤まで吐出温度があがらず、乾燥効率がわるくなってしまう。
【００２４】
本発明の外気導入ユニットであれば、シール性不良とならず、乾燥前半からコンプレッサの回転数を上げることができ、乾燥前半で吐出温度を上げることができるため、コンプレッサの回転数を下げることが可能となり、省エネへ寄与できる。本試験では３０Ｗｈの寄与があった（全消費電力が８６０ｗｈ）。
【００２５】
また、部品点数を削減することで、従来コストから半分とすることが可能となった。
【産業上の利用可能性】
【００２６】
以上のように、本発明に係る洗濯乾燥機は、外気導入時のシール性を高めることができるので、乾燥機器等に有用である。
【符号の説明】
【００２７】
７  外気導入弁
１０  外気導入ユニット
１１  フィルター部
１３  パッキン
１４  シャッター
１８  外気導入弁駆動用モータ
【図２】
2011067308.tif 000003
【図１】
2011067308.tif 000004
【図３】
2011067308.tif 000005
【図４】
2011067308.tif 000006
【図５】
2011067308.tif 000007
【図６】
2011067308.tif 000008
【図７】
2011067308.tif 000009
【図８】
2011067308.tif 000010
【図９】
2011067308.tif 000011
【図１０】
2011067308.tif 000012
【図１１】
2011067308.tif 000013
【図１２】
2011067308.tif 000014
【図１３】
2011067308.tif 000015